(57)【要約】  光ディスク装置（１）は、光ディスク（２００）を載置する載置部（１１）及び一の方向に沿って延びる一対のトレイリブ（１２）により形成された溝部（１３）を含む第１面と、第２面とを有するトレイ（１０）と、第１面と対向して配置されるとともに、第１ボス部（２１）を有するトラバースメカ（２０）と、第２面と対向して配置されたクランパ（３０）と、溝部内に挿入される第２ボス部（４１）と、第１ボス部が挿通されるとともに、他の方向への移動に伴い第１ボス部を案内してトラバースメカを昇降させる昇降カム孔（４２）とを有するカムスライダ（４０）と、を備える。ここで、一対のトレイリブは、載置部によって分断されている。
2020144819.tif 000002
【特許請求の範囲】
【請求項１】
光ディスクを載置する載置部及び一の方向に沿って延びる一対のトレイリブにより形成された溝部を含む第１面と、前記第１面とは反対側の第２面とを有するトレイと、
前記第１面と対向して配置されるとともに、第１ボス部を有するトラバースメカと、
前記第２面と対向して配置されたクランパと、
前記溝部内に挿入される第２ボス部と、前記第１ボス部が挿通されるとともに、前記第１面に沿った平面において前記一の方向と交わる他の方向への移動に伴い前記第１ボス部を案内して前記トラバースメカを昇降させる昇降カム孔とを有するカムスライダと、
を備え、
前記一対のトレイリブは、前記載置部によって分断されている
ことを特徴とする光ディスク装置。
【請求項２】
前記第２面は、前記一の方向に沿って延びるトレイラックを有し、
前記第１面と対向して配置され、前記トレイを前記一の方向に沿って移動させるための動力を出力するモータと、
前記第２面と対向して配置され、前記トレイラックと噛合する歯車と、
前記モータから出力された動力を前記歯車に伝達する動力伝達部材と、
を備えることを特徴とする請求項１に記載の光ディスク装置。
【請求項３】
前記カムスライダは、前記他の方向への前記カムスライダの移動を抑制する第１抑制部材を有することを特徴とする請求項１に記載の光ディスク装置。
【請求項４】
前記昇降カム孔は、前記光ディスクがクランプされるときに、前記トラバースメカが位置する第２位置における前記トラバースメカと前記トレイとの間の距離が、前記光ディスクの再生又は記録が行われるときに、前記トラバースメカが位置する第１位置における前記距離よりも小さくなるように形成されていることを特徴とする請求項１に記載の光ディスク装置。
【請求項５】
前記クランパは、当該光ディスク装置のカバーに形成された凹部内に回転自在に配置されており、
前記カバーのうち前記凹部を形成する部分に当接して、前記凹部内における前記クランパの位置変動を抑制する第２抑制部材を有するクランパカバーを備える
ことを特徴とする請求項１に記載の光ディスク装置。
【請求項６】
前記トレイの第１面側、且つ、前記トレイから離隔された位置に形成されるとともに、前記光ディスクの前記トラバースメカ側への移動を制限する制限部材を備えることを特徴とする請求項１に記載の光ディスク装置。
【発明の詳細な説明】
【技術分野】
【０００１】
本発明は、光ディスク装置の技術分野に関する。
【背景技術】
【０００２】
この種の装置は、例えば光ディスクを用いたアーカイブシステムに用いられる。該アーカイブシステムとして、例えば、複数の光ディスクドライブを備えるアーカイブシステムが提案されている（特許文献１及び２参照）。
【先行技術文献】
【特許文献】
【０００３】
【特許文献１】特開２０１４−９３１１０号公報
【特許文献２】国際公開第２０１７／１９９４３０号
【発明の概要】
【発明が解決しようとする課題】
【０００４】
アーカイブシステムでは、その性質上、光ディスク一枚当たりのデータ容量を増やすことが図られる。光ディスク一枚当たりのデータ容量を増やす方法としては、例えば、一方の面、及び、該一方の面とは反対側の他方の面の両方に記録層が設けられた両面光ディスクを用いる方法が挙げられる。【０００５】
特許文献１に記載のアーカイブシステムでは、両面光ディスクを反転する反転機構を備えることなく、該両面光ディスクを用いるために、次のような構成が採られている。即ち、光ディスクの回転軸が鉛直方向に対して交わるように光ディスクドライブが配置される（即ち、光ディスクドライブが縦置きされる）とともに、光ピックアップの位置が互いに反対になるように、両面光ディスクの一方の面の記録層に対して再生又は記録動作を行う光ディスクドライブと、両面光ディスクの他方の面の記録層に対して記録又は再生動作を行う光ディスクドライブとが配置されている。【０００６】
しかしながら、特許文献２に記載のアーカイブシステムのように、光ディスクの回転軸が鉛直方向に沿うように光ディスクドライブが配置されるアーカイブシステムには、特許文献１に記載の技術を適用することはできない。特に、光ディスクドライブとして、トレイローディング方式の光ディスクドライブが用いられる場合、上記反転機構を用いることなく、両面光ディスクのトレイと接しない側の面（即ち、上面）の記録層に対して再生又は記録動作を行うことは極めて困難である。【０００７】
本発明は、例えば上記問題点に鑑みてなされたものであり、光ディスクのトレイと接しない側の面の記録層に対して再生又は記録動作を行うことができる光ディスク装置（上述の光ディスクドライブに相当）を提供することを課題とする。
【課題を解決するための手段】
【０００８】
本発明の光ディスクは、上記課題を解決するために、光ディスクを載置する載置部及び一の方向に沿って延びる一対のトレイリブにより形成された溝部を含む第１面と、前記第１面とは反対側の第２面とを有するトレイと、前記第１面と対向して配置されるとともに、第１ボス部を有するトラバースメカと、前記第２面と対向して配置されたクランパと、前記溝部内に挿入される第２ボス部と、前記第１ボス部が挿通されるとともに、前記第１面に沿った平面において前記一の方向と交わる他の方向への移動に伴い前記第１ボス部を案内して前記トラバースメカを昇降させる昇降カム孔とを有するカムスライダと、を備え、前記一対のトレイリブは、前記載置部によって分断されている。【０００９】
本発明の作用及び他の利得は次に説明する実施するための形態から明らかにされる。
【図面の簡単な説明】
【００１０】
【図１】実施例に係る光ディスクドライブの構成要素の配置を示す図である。
【図２】実施例に係る光ディスクドライブの要部を示す斜視図である。
【図３】実施例に係るトレイを示す平面図である。
【図４】実施例に係るカムスライダを示す図である。
【図５】トレイに対するカムスライダの動きを示す図である。
【図６】カムスライダに対するトラバースメカの動きを示す図である。
【図７】実施例に係る樹脂ばね近傍を拡大して示す拡大図である。
【図８】実施例に係るクランプカバーを示す図である。
【図９】実施例に係る光ディスクドライブのシャーシを示す図である。
【発明を実施するための形態】
【００１１】
本発明の光ディスク装置に係る実施形態について説明する。
【００１２】
実施形態に係る光ディスク装置は、光ディスクを載置する載置部及び一の方向に沿って延びる一対のトレイリブにより形成された溝部を含む第１面と、前記第１面とは反対側の第２面とを有するトレイと、前記第１面と対向して配置されるとともに、第１ボス部を有するトラバースメカと、前記第２面と対向して配置されたクランパと、前記溝部内に挿入される第２ボス部と、前記第１ボス部が挿通されるとともに、前記第１面に沿った平面において前記一の方向と交わる他の方向への移動に伴い前記第１ボス部を案内して前記トラバースメカを昇降させる昇降カム孔とを有するカムスライダと、を備え、前記一対のトレイリブは、前記載置部によって分断されている。
【００１３】
当該光ディスク装置は、いわゆるトレイローディング方式の光ディスク装置である。当該光ディスク装置では、例えば光ピックアップ、スピンドルモータ等を含むトラバースメカが、トレイの第１面と対向して配置されている。このため、当該光ディスク装置では、トレイの載置部に載置された光ディスクの該トレイと接しない側の面が、トラバースメカと対向することとなる。従って、当該光ディスク装置では、光ディスクのトレイと接しない側の面に対して、再生又は記録動作が行われることになる。
【００１４】
カムスライダは、トレイの第１面に一対のトレイリブにより形成された溝部内に挿入される第２ボス部を有する。カムスライダは更に、トラバースメカの第１ボス部を案内する昇降カム孔を有する。カムスライダが第２ボス部及び昇降カム孔を有することで、トレイ、カムスライダ及びトラバースメカが連動することになる。
【００１５】
ところで、光ディスク装置は、他の光ディスク装置との互換性を高めるために、或いは、光ディスク装置を搭載する装置（例えば、上述したアーカイブシステム、パーソナルコンピュータ等）に用いられる筐体の汎用性を高めるために、そのサイズに係る規格が存在する。
【００１６】
当該光ディスク装置のサイズを規格に合わせる場合、トレイの幅（即ち、トレイの上記他の方向の長さ）を、光ディスクの直径とほぼ同じにする必要がある。他方で、トレイ、カムスライダ及びトラバースメカを連動させるために、カムスライダの第２ボス部が挿入される溝部（言い換えれば、一対のトレイリブ）をトレイの第１面に形成しなければならない。
【００１７】
しかるに当該光ディスク装置では、トレイの第１面において、載置部により一対のトレイリブが分断されている。つまり、載置部には一対のトレイリブが形成されていない。このように構成すれば、トレイ、カムスライダ及びトラバースメカを連動させることができるとともに、当該光ディスク装置のサイズを規格に合わせることができる。
【００１８】
以上の結果、当該光ディスク装置によれば、光ディスクのトレイと接しない側の面の記録層に対して再生又は記録動作を行うことができる。加えて、当該光ディスク装置のサイズを規格に合わせることができるので、当該光ディスク装置の互換性及び／又は汎用性を高めることができる。
【００１９】
本実施形態に係る光ディスク装置の一態様では、前記第２面は、前記一の方向に沿って延びるトレイラックを有し、前記第１面と対向して配置され、前記トレイを前記一の方向に沿って移動させるための動力を出力するモータと、前記第２面と対向して配置され、前記トレイラックと噛合する歯車と、前記モータから出力された動力を前記歯車に伝達する動力伝達部材と、を備える。
【００２０】
この態様では、トレイを一の方向に沿って移動させるための動力は、トレイの第１面側に配置されたモータから、トレイの第２面に形成されたトレイラックに伝達される。トレイの第１面と対向してトラバースメカが配置されているので、トレイの第１面側に上記モータが配置されたとしても、当該光ディスク装置の高さ（又は厚み）への影響はない。従って、この態様によれば、当該光ディスク装置のサイズ（特に高さ又は厚み）を規格に合わせつつ、トレイを一の方向に沿って移動させることができる。
【００２１】
本実施形態に係る光ディスク装置の他の態様では、前記カムスライダは、前記他の方向への前記カムスライダの移動を抑制する第１抑制部材を有する。上述の如く、トレイの第１面のうち載置部には一対のトレイリブは形成されていない。つまり、カムスライダの第２ボス部が挿入される溝部は、トレイの載置部で途切れている。このため、何らの対策もしなければ、上記溝部が途切れていることに起因して、想定されているよりも多くカムスライダが他の方向へ移動する可能性がある。しかるに、この態様によれば、カムスライダが第１抑制部材を有しているが故に、他の方向へのカムスライダの移動を抑制することができる。
【００２２】
本実施形態に係る光ディスク装置の他の態様では、前記昇降カム孔は、前記光ディスクがクランプされるときに、前記トラバースメカが位置する第２位置における前記トラバースメカと前記トレイとの間の距離が、前記光ディスクの再生又は記録が行われるときに、前記トラバースメカが位置する第１位置における前記距離よりも小さくなるように形成されている。
【００２３】
この態様では、光ディスクがクランプされるときのトラバースメカとトレイとの間の距離は、光ディスクの再生又は記録が行われるときの該距離に比べて小さい。このため、トラバースメカのスピンドルモータと、クランパとの間の距離も比較的小さくなるので、光ディスクを適切にクランプすることができる。
【００２４】
本実施形態に係る光ディスク装置の他の態様では、前記クランパは、当該光ディスク装置のカバーに形成された凹部内に回転自在に配置されており、前記カバーのうち前記凹部を形成する部分に当接して、前記凹部内における前記クランパの位置変動を抑制する第２抑制部材を有するクランパカバーを備える。
【００２５】
この態様によれば、第２抑制部材によりクランパの位置変動が抑制されるので、光ディスクがクランプされるときに、トラバースメカのスピンドルモータとクランパとの位置ずれが生じることを好適に抑制することができる。
【００２６】
本実施形態に係る光ディスク装置の他の態様では、前記トレイの第１面側、且つ、前記トレイから離隔された位置に形成されるとともに、前記光ディスクの前記トラバースメカ側への移動を制限する制限部材を備える。
【００２７】
トレイの第２面と対向してトラバースメカが配置されている光ディスク装置では、トラバースメカと光ディスクとの間にトレイが介在することとなる。このため、光ディスクの再生又は記録が終了した後、光ディスク装置から光ディスクが取り出されるときには、トレイの排出動作に起因して、光ディスクがアンクランプされることになる。
【００２８】
他方で、当該光ディスク装置では、トレイの第１面と対向してトラバースメカが配置されているが故に、トラバースメカと光ディスクとの間にはトレイが介在していない。このため、何らの対策も採らなければ、当該光ディスク装置から光ディスクが取り出されるときに、トラバースメカのスピンドルモータに光ディスクが貼り付いたままになる可能性がある（即ち、光ディスクが適切にアンクランプされない可能性がある）。この結果、光ディスクが当該光ディスク装置から排出されない、光ディスクに傷や汚れがつく等の不具合が発生する可能性がある。
【００２９】
しかるに、この態様では、当該光ディスク装置が制限部材を備えるが故に、光ディスクのトラバースメカ側への移動が制限される。このため、この態様によれば、当該光ディスク装置から光ディスクが取り出されるときに、トラバースメカのスピンドルモータに光ディスクが貼り付いたままになることを好適に抑制することができる。
【実施例】
【００３０】
本発明の光ディスク装置に係る実施例を図面に基づいて説明する。ここでは、本発明の光ディスク装置の一例として、光ディスクドライブを挙げる。【００３１】
（構成）
実施例に係る光ディスクドライブの構成について図１乃至図４を参照して説明する。図１は、実施例に係る光ディスクドライブの構成要素の配置を示す図である。図２は、実施例に係る光ディスクドライブの要部を示す斜視図である。図３は、実施例に係るトレイを示す平面図である。図４は、実施例に係るカムスライダを示す図である。【００３２】
実施例に係る光ディスクドライブの概要について図１を参照して説明する。図１において、光ディスクドライブ１は、トレイ１０と、トレイ１０の光ディスク２００が載置される側の面である第１面に対向して配置されるとともに、スピンドルモータ（ＳＰＤＬ）及び光ピックアップ（ＰＵ）を有するトラバースメカ２０と、トレイ１０の第１面とは反対側の面である第２面に対向して配置されたクランパ３０と、カムスライダ４０と、トレイ１０及びカムスライダ４０を駆動する動力を出力する駆動部５０と、駆動部５０から出力された動力をトレイ１０に伝達するギア列部６０とを備えて構成されている。【００３３】
当該光ディスクドライブ１は、いわゆるトレイローディング方式の光ディスクドライブである。当該光ディスクドライブ１では、図１に示すように、トラバースメカ２０の光ピックアップにより、光ディスク２００のトレイ１０と接しない側の面（即ち、上面）に対して再生又は記録動作が行われることになる。【００３４】
トレイ１０について図３を参照して説明を加える。図３（ａ）は、光ディスクドライブ１の上方からトレイ１０を見た平面図である。つまり、図３（ａ）は、上述したトレイ１０の第１面を示す平面図である。図３（ｂ）は、光ディスクドライブ１の下方からトレイ１０を見た平面図である。つまり、図３（ｂ）は、上述したトレイ１０の第２面を示す平面図である。【００３５】
図３（ａ）に示すように、トレイ１０の第１面には、光ディスク２００が載置される載置部１１が形成されている。トレイ１０の第１面には更に、ｘ方向に沿って延びる一対のトレイリブ１２が形成されている。この一対のトレイリブ１２により溝部１３が形成される。この溝部１３により、カムスライダ４０の移動が制限される（詳細については後述する）。図３（ａ）に示すように、一対のトレイリブ１２は、載置部１１により分断されている。【００３６】
図３（ｂ）に示すように、トレイ１０の第２面には、ｘ方向に沿って延びるトレイラック１４が形成されている。トレイラック１４には、歯車６１が噛合している（歯車６１への動力伝達経路についての説明は後述する）。【００３７】
カムスライダ４０は、図４に示すように、トレイ１０の溝部１３内に挿入されるボス４１を有する。カムスライダ４０には、トラバースメカ２０のボス２１が挿通されるとともに、カムスライダ４０のｙ方向（図２及び図３参照）への移動に伴いボス２１を案内してトラバースメカ２０を昇降させる昇降カム孔４２が形成されている。【００３８】
トラバースメカ２０及びクランパ３０には、既存の各種態様を適用可能であるので、その詳細な説明は省略する。【００３９】
次に、トレイ１０をｘ方向に沿って移動させるための動力伝達経路について図２を参照して説明する。図２（ａ）において、モータ５１から出力された動力は、モータ５１に固着されたプーリ（図示せず）からベルトを介してプーリ５２に伝達される。その後、モータ５１から出力された動力は、歯車５３等を介して、歯車５４に伝達される。尚、歯車５３は、カムスライダ４０に形成されたカムラック（図示せず）と噛合可能に構成されている。【００４０】
図２に示すように、歯車５４の回転軸５５には、歯車６２が接続されている。このため、歯車５４に伝達されたモータ５１から出力された動力は、回転軸５５及び歯車６２を介して、歯車６１に伝達される。トレイラック１４（図３（ｂ）参照）と噛合した歯車６１が回転することにより、トレイ１０がｘ方向に沿って移動される。尚、モータ５１、プーリ５２、歯車５３及び５４並びに回転軸５５は、駆動部５０の一部を構成している。歯車６１及び６２は、ギア列部６０の一部を構成している。【００４１】
（動作）
次に、上述の如く構成された光ディスクドライブ１の動作について図３に加えて、図５及び図６を参照して説明する。図５は、トレイに対するカムスライダの動きを示す図である。図６は、カムスライダに対するトラバースメカの動きを示す図である。ここで、図５（ａ）に示す状態は、図６（ａ１）及び（ａ２）各々に示す状態に対応している。５（ｂ）に示す状態は、図６（ｂ１）及び（ｂ２）各々に示す状態に対応している。図５（ｃ）に示す状態は、図６（ｃ１）及び（ｃ２）各々に示す状態に対応している。図５（ｄ）に示す状態は、図６（ｄ１）及び（ｄ２）各々に示す状態に対応している。尚、図６（ａ１）、（ｂ１）、（ｃ１）及び（ｄ１）は、図５の下側からカムスライダ４０等を見た図（即ち、正面図）であり、図６（ａ２）、（ｂ２）、（ｃ２）及び（ｄ２）は、図５の右側からトラバースメカ２０等を見た図（即ち、側面図）である。【００４２】
図３（ａ）は、トレイ１０が当該光ディスクドライブ１のメインベース（図示せず）の前方に突出した状態を示している。図５（ｂ）は、トレイ１０が当該光ディスクドライブ１のメインベース内に収容された状態を示している（対応する図６（ｂ１）及び図６（ｂ２）についても同様）。図５（ａ）は、図３（ａ）に示す状態と、図５（ｂ）に示す状態との間の状態を示している（対応する図６（ａ１）及び図６（ａ２）についても同様）。【００４３】
図５（ｃ）は、対応する図６（ｃ１）及び（ｃ２）に示すように、トラバースメカ２０により光ディスク２００がクランプされるときの状態を示している。図５（ｄ）は、トラバースメカ２０の光ピックアップにより、光ディスク２００に対して再生又は記録動作が行われるときの状態を示している（対応する図６（ｄ１）及び図６（ｄ２）についても同様）。【００４４】
さて、図３（ａ）に示す状態から、トレイ１０がメインベース内に収容される場合、図５（ａ）に破線矢印で示すように、カムスライダ４０は、トレイ１０の後端側（即ち、図５（ａ）の上側）から、トレイ１０の前端側（即ち、図５（ａ）の下側）に向かって移動する。このとき、カムスライダ４０のボス４１（図４参照）は、トレイ１０の溝部１３内を移動する。【００４５】
上述したように、溝部１３を形成する一対のトレイリブ１２（図３（ａ）参照）は、トレイ１０の載置部１１により分断されている。このため、トレイ１０がメインベース内に収容される際には、カムスライダ４１のボス４１は、トレイ１０の溝部１３から一旦外れ、カムスライダ４０がトレイ１０の載置部１１を通過した後に再度溝部１３内に進入することとなる。【００４６】
トレイ１０の図５（ａ）の点線円ｃ１で示す部分では、カムスライダ４０がｙ方向に沿って移動するように溝部１３が形成されている。図５（ａ）に示す状態では、カムスライダ４０のカムラックと歯車５３（図２参照）とは、未だ噛合していない。図５（ａ）に示す状態から、トレイ１０がメインベース内に更に収容されると、カムスライダ４０は溝部１３の形状に起因して、図５（ｂ）に破線矢印で示すように（即ち、図５の右側から左側に向かって）移動する。この結果、カムラックと歯車５３とが噛合される。【００４７】
その後、カムラックと噛合した歯車５３が回転することにより、カムスライダ４０は、図５の右側から左側に向かって更に移動することとなる。ここで、図５（ｂ）に示す状態に対応する図６（ｂ１）及び（ｂ２）を参照すると、図５（ｂ）に示す状態では、トラバースメカ２０は、トレイ１０と一緒にメインベース内に収容される光ディスク２００とぶつからない退避位置に位置している。【００４８】
カムラックと噛合した歯車５３が回転することにより、カムスライダ４０は、図５の右側から左側に向かって更に移動すると、図６（ｃ１）及び（ｃ２）に示すように、トラバースメカ２０のボス２１が、カムスライダ４０に形成された昇降カム孔４２の形状に従って移動する結果、トラバースメカ２０が光ディスク２００に向かって降下することとなる。尚、図６（ｃ１）及び（ｃ２）に示す状態では、トラバースメカ２０は、光ディスク２００をクランプするときのクランプ位置に位置している。【００４９】
その後、カムスライダ４０が、図５の右側から左側に向かって更に移動すると、図６（ｄ１）及び（ｄ２）に示すように、ボス２１が昇降カム孔４２の形状に従って移動する結果、トラバースメカ２０が、光ディスク２００に対し再生又は記録動作を行う位置（ここでは、便宜上“再生位置”と称する）へ移動する。【００５０】
尚、トレイ１０がメインベースから排出される際は、図５及び図６を参照して説明した動作とは逆の手順の動作が行われる。【００５１】
（構成上の特徴）
（１）当該光ディスクドライブ１では、例えば図１に示すように、カムスライダ４０がトレイ１０の上方に配置されている。当該光ディスクドライブ１では、トレイ１０及びカムスライダ４０（更には、トラバースメカ２０）が連動するように、カムスライダ４０のボス４１が挿入される溝部１３を形成する一対のトレイリブ１２は、トレイ１０の第１面に形成される必要がある。他方で、当該光ディスクドライブ１のサイズが規格に合うように、トレイ１０の幅（即ち、ｙ方向の長さ）は、光ディスク２００の直径とほぼ同じにする必要がある。そこで、当該光ディスクドライブ１では、トレイ１０の第１面に形成された一対のトレイリブ１２を載置部１１により分断することにより（言い換えれば、載置部１１に一対のトレイリブ１２を形成しないことにより）、トレイ１０の上方に配置されたカムスライダ４０とトレイ１０との連動と、当該光ディスクドライブ１のサイズの規格への適合とを両立させている。【００５２】
（２）当該光ディスクドライブ１では、図２に示すように、トレイ１０を駆動するための動力を出力するモータ５１は、トレイ１０の上方に配置されている。しかしながら、トレイラック１４は、図３（ｂ）に示すように、トレイ１０の第２面に形成されている。そこで、当該光ディスクドライブ１では、歯車５４、回転軸５５及び歯車６２を介して、モータ５１から出力された動力を、トレイラック１４と噛合する歯車６１に伝達している。尚、「歯車５４」、「回転軸５５」及び「歯車６２」は、本発明に係る「動力伝達部材」の一例に相当する。【００５３】
（３）図５を参照して説明したように、トレイ１０がメインベースに収容される場合（及び、トレイ１０がメインベースから排出される場合）、カムスライダ４０のボス４１は、トレイ１０の溝部１３から一旦外れる。このとき何らの対策も採らなければ、カムスライダ４０がｙ方向へ移動する可能性がある。【００５４】
トレイ１０がメインベースに収容されているときは、例えば図６（ａ２）に示すように、トラバースメカ２０は退避位置に位置している。このとき、トラバースメカ２０のボス２１は、カムスライダ４０の昇降カム孔４２の図６（ａ１）に示す位置にある。当該光ディスクドライブ１では、カムスライダ４０の図６（ａ１）の点線円ｃ２で示す部分（即ち、ボス２１が位置している部分）が、その周辺よりもわずかに低くなるように形成されている。つまり、点線円ｃ２で示す部分に凹みが形成されている。【００５５】
ここで、図６（ａ２）に示すように、カムスライダ４０は、トラバースメカ２０の一端を支持しているので、ボス２１には、鉛直方向下向きに相応の力が加わっている。このため、トレイ１０がメインベースに収容されるときに、カムスライダ４０に、図５の右側から左側に向かう力（即ち、図６（ａ１）の右側から左側に向かう力）が多少加わったとしても、つまり、カムスライダ４０に外乱が加わったとしても、ボス２１が、カムスライダ４０の図６（ａ１）の点線円ｃ２で示す部分から動くことはない。【００５６】
カムスライダ４０は更に、図４に示すように、樹脂ばね４３を有している。この樹脂ばね４３は、トラバースメカ２０をその周囲から囲うシャーシ（図示せず）に形成された凸部に当接するように形成されている。ここで、樹脂ばね４３について図７を参照して説明を加える。図７は、実施例に係るカムスライダの樹脂ばね近傍を拡大して示す拡大図である。【００５７】
上記凸部は、シャーシの図７の点線円ｃ４で示す部分に形成されている。トレイ１０がメインベースに収容されているとき（特に、カムスライダ４０のボス４１が、トレイ１０の載置部１１の上方に位置しているとき）に、樹脂ばね４３が当接するように、上記凸部がシャーシに形成されている。このため、トレイ１０がメインベースに収容されるときに、カムスライダ４０に、図７の右側から左側に向かう力（即ち、図５の右側から左側に向かう力）が多少加わったとしても、つまり、カムスライダ４０に外乱が加わったとしても、樹脂ばね４３の作用により、カムスライダ４０のｙ方向への移動が抑制される。尚、樹脂ばね４３は、本発明に係る「第１抑制部材」の一例に相当する。【００５８】
（４）光ディスク２００がクランプされるときには、光ディスク２００に向かって降下したトラバースメカ２０と、クランパ３０との間に働く磁力に起因して、クランパ３０がトラバースメカ２０に向かって吸い寄せられ、クランパ３０がトラバースメカ２０のスピンドルモータと結合することによって、光ディスク２００がクランプされる。【００５９】
当該光ディスクドライブ１では、トラバースメカ２０が、クランプ位置（図６（ｃ１）及び（ｃ２）参照）に位置する場合のトラバースメカ２０とトレイ１０との間の距離が、トラバースメカ２０が再生位置（図６（ｄ１）及び（ｄ２）参照）に位置する場合の上記距離に比べて小さくなるように、カムスライダ４０の昇降カム孔４２が形成されている。【００６０】
具体的には、図６（ｄ１）に示す状態（ボス２１の位置に着目されたし）、トラバースメカ２０が再生位置に位置する場合である。これに対して、図６（ｄ１）の点線円ｃ３で示す部分にボス２１が位置する状態（即ち、図６（ｃ１）に示す状態）が、トラバースメカ２０がクランプ位置に位置する場合である。このように、トラバースメカ２０がクランプ位置に位置する場合のボス２１の位置が、トラバースメカ２０が再生位置に位置する場合のボス２１の位置に比べて低くなるように、昇降カム孔４２が形成されている。【００６１】
ここで、クランパ３０について図８を参照して説明する。図８は、実施例に係るクランプカバーを示す図である。【００６２】
クランパ３０は、当該光ディスクドライブ１のカバーに形成された凹部内に回転自在に配置されている。該凹部には、クランパ３０がトラバースメカ２０のスピンドルモータと結合可能なように、孔が形成されている。【００６３】
ところで、光ディスク２００に対して再生又は記録動作が行われる場合に（即ち、クランパ３０が、スピンドルモータの回転に伴って回転している場合に）、カバーとクランパ３０とが接触しないように、上記凹部が形成されている。このため、何らの対策も採らなければ、上記凹部内におけるクランパ３０の位置変動が比較的大きくなる可能性がある。すると、上記凹部内におけるクランパ３０の位置変動に起因して、光ディスク２００が適切にクランプされない可能性がある。【００６４】
そこで、当該光ディスクドライブ１では、クランパカバー７０に、上記凹部内におけるクランパ３０の位置変動を抑制するためのリブ７１が形成されている。図８に示すように、リブ７１で囲われた部分に、クランパ３０が配置されているので、クランパカバー７０により、上記凹部内におけるクランパ３０の位置変動を好適に抑制することができる。加えて、図８に示すように、リブ７１の一部が、カバーのうち上記凹部を構成する部分に当接している。このため、リブ７１により、クランパカバー７０が上記凹部に対してずれることも抑制される。尚、「リブ７１」は、本発明に係る「第２抑制部材」の一例に相当する。【００６５】
このように、当該光ディスクドライブ１では、光ディスク２００がクランプされるときに、トラバースメカ２０のスピンドルモータとクランパ３０との間の距離ができるだけ短くなるように、カムスライダ４０の昇降カム孔４２が形成されているとともに、上記凹部内におけるクランパ３０の位置変動が抑制されるようにクランパカバー７０がリブ７１を有する。従って、当該光ディスクドライブ１によれば、光ディスク２００を適切にクランプすることができる。【００６６】
（５）光ディスク２００の再生又は記録が終了した後、当該光ディスクドライブ１から光ディスク２００が取り出されるときには、トレイ１０が当該光ディスクドライブ１のメインベースから排出される排出動作に起因して、光ディスク２００がアンクランプされる。このとき、何らの対策も採らなければ、光ディスク２００がトラバースメカ２０のスピンドルモータに貼り付いたままになる可能性がある（即ち、光ディスク２００が適切にアンクランプされない可能性がある）。この結果、光ディスク２００が当該光ディスクドライブ１から排出されない、光ディスク２００に傷や汚れがつく等の不具合が発生する可能性がある。【００６７】
そこで、当該光ディスクドライブ１では、図９（ａ）に示すように、トラバースメカ２０をその周囲から囲うシャーシの図９（ａ）の点線円ｃ５で示す部分に、光ディスク２００のトラバースメカ２０側への移動（即ち、上方への移動）を制限するリブ８０（図９（ｂ）参照）が形成されている。【００６８】
ここで、リブ８０は、当該光ディスクドライブ１の高さ方向（ｚ方向）において、トラバースメカ２０が退避位置に位置するときのスピンドルモータの下端の位置よりも低く、且つ、トラバースメカ２０が再生位置に位置するときの光ディスク２００の上面の位置よりも高い、位置に形成されている。【００６９】
仮に、光ディスク２００がトラバースメカ２０のスピンドルモータに貼り付いたとしても、トレイ１０の排出動作に起因してトラバースメカ２０が退避位置に向かって上昇する際に、光ディスク２００がリブ８０に接触することによって、光ディスク２００がスピンドルモータから外れる。従って、当該光ディスクドライブ１によれば、光ディスク２００を適切にアンクランプすることができる。尚、「リブ８０」は、本発明に係る「制限部材」の一例に相当する。【００７０】
本発明は、上述した実施形態に限られるものではなく、請求の範囲及び明細書全体から読み取れる発明の要旨或いは思想に反しない範囲で適宜変更可能であり、そのような変更を伴う光ディスク装置もまた本発明の技術的範囲に含まれるものである。
【符号の説明】
【００７１】
１…光ディスクドライブ、１０…トレイ、２０…トラバースメカ、３０…クランパ、４０…カムスライダ、５０…駆動部、６０…ギア列部、７０…クランパカバー
【図１】
2020144819.tif 000003
【図２】
2020144819.tif 000004
【図３】
2020144819.tif 000005
【図４】
2020144819.tif 000006
【図５】
2020144819.tif 000007
【図６】
2020144819.tif 000008
【図７】
2020144819.tif 000009
【図８】
2020144819.tif 000010
【図９】
2020144819.tif 000011
【国際調査報告】
2020144819.tif 000012
2020144819.tif 000013
2020144819.tif 000014